(57)【要約】【課題】入力画像から複数ページに亘る文書ファイルを生成する文書データ生成方法において、処理時間を短縮でき、また画質劣化が生じないようにする。【解決手段】ヘッダ情報を生成し（Ｓ１００）、文書ファイルに文書ヘッダを書き込むとともに（Ｓ１０２）、入力画像を文書ファイルに複写する（Ｓ１１０）。次に、各ページが参照する画像位置と参照範囲、その画像をページのどの領域に配置するかを決定し（Ｓ１２０）、これらの参照範囲などを示すページ情報に基づいて各ページデータを生成する（Ｓ１２４）。最後に、文書全体の情報を文書ファイルに書き込む（Ｓ１３２）。【選択図】　　　　図３
2004048148.tif 000002
【特許請求の範囲】
【請求項１】
入力された画像データに基づいて、当該画像データの少なくとも一部をページ内容として有するページデータを複数含んで成る文書データを作成する文書データ作成方法であって、
それぞれの前記ページデータを、前記入力された画像データの所定領域を参照して複写することで生成することを特徴とする文書データ作成方法。
【請求項２】
入力された画像データに基づいて、当該画像データの少なくとも一部をページ内容として有するページデータを複数含んで成る文書データを作成する文書データ作成装置であって、
画像データを取得する画像データ取得部と、
文書データのそれぞれの前記ページデータに対して、前記画像データ取得部が取得した画像の参照領域を設定する画像参照領域設定部と、
前記画像データ取得部が取得した画像データと、前記画像参照領域設定部が設定したそれぞれの前記ページデータについての前記参照領域に関するページ情報とに基づいて、個々のページデータを生成するページデータ生成部と
を備えたことを特徴とする文書データ生成装置。
【請求項３】
前記画像参照領域設定部は、前記文書データのそれぞれのページデータについて、前記画像データ取得部が取得した画像データにおける、それぞれ異なる参照領域を設定することを特徴とする請求項２に記載の文書データ生成装置。
【請求項４】
前記画像参照領域設定部は、前記文書データのそれぞれのページデータのうち隣接するページデータについては、当該隣接するページデータの境界部が、前記画像データ取得部が取得した画像データにおける、共通の領域を参照するように、前記参照領域を設定することを特徴とする請求項２に記載の文書データ生成装置。
【請求項５】
前記画像参照領域設定部は、前記参照領域として矩形状の領域を設定することを特徴とする請求項２から４のうちの何れか１項に記載の文書データ生成装置。
【請求項６】
前記画像参照領域設定部は、前記矩形状の一辺の長さが前記画像の一辺の長さと略等しくなるように前記参照領域を設定することを特徴とする請求項５に記載の文書データ生成装置。
【請求項７】
前記画像参照領域設定部は、前記文書データのそれぞれの前記ページデータの何れからも参照されない画像部分を設けるように、各ページデータの前記参照領域を設定することを特徴とする請求項２から６のうちの何れか１項に記載の文書データ生成装置。
【請求項８】
前記画像参照領域設定部は、前記ページデータの何れからも参照されない画像部分を、前記画像データ複写部が取得した画像における中央部分および周辺分の少なくとも一方に設定することを特徴とする請求項７に記載の文書データ生成装置。
【請求項９】
前記画像参照領域設定部は、複数のページデータのそれぞれに対して一定のサイズの前記参照領域を設定することを特徴とする請求項２から８のうちの何れか１項に記載の文書データ生成装置。
【請求項１０】
前記画像参照領域設定部は、複数のページデータのうちの１ページ分を除くページデータについて、前記画像データ取得部が取得した画像を当該画像の長手方向に同一サイズで分割して得られる領域を前記参照領域として設定することを特徴とする請求項２から８のうちの何れか１項に記載の文書データ生成装置。
【発明の詳細な説明】
【０００１】
【発明の属する技術分野】
本発明は、画像データから文書データを作成する方法および装置に関する。より詳細には、画像データを複数ページに分割してページデータとして利用可能にする文書データの生成方法および装置に関する。
【０００２】
【従来の技術】
画像をページデータとする文書データを作成する方法および装置が存在する。たとえば、スキャナでスキャンした画像のＪＰＥＧファイルやＴＩＦＦファイルを入力して、ＰＤＦ（Ｐｏｒｔａｂｌｅ　Ｄｏｃｕｍｅｎｔ　Ｆｏｒｍａｔ）ファイルを作成するソフトウェアがある。
【０００３】
図７は、従来の文書データ生成装置における文書データの生成方法を説明する図である。従来の方法および装置では、図７に示すように、１つの入力画像データを文書データ中の１ページのページデータとして文書データを作成する。また、複数の画像から文書データを作成すると、各々の入力画像データが文書データのページの各々に対応するように文書データが作成される。
【０００４】
さらに、マルチページＴＩＦＦ（Ｔａｇｇｅｄ　Ｉｍａｇｅ　Ｆｉｌｅ　Ｆｏｒｍａｔ）ファイルのように、画像ファイルが複数の画像を持つファイル場合には、画像ファイルに含まれる各々の画像が文書の１ページになるような複数ページ文書を作成するものもある。
【０００５】
一方、単一の画像データから複数のページデータを作成したいという要求もある。たとえば、スキャナで本や雑誌の見開きページを一度にスキャンした画像を文書データに変換する場合には、画像を左右に２等分してそれぞれを１ページとしたいというケースなどである。
【０００６】
また、ＦＡＸ装置で長尺の文書を受信した場合には、画像の幅はＡ４サイズまたはレターサイズと同じであるのに高さがＡ４またはレターに比べて長すぎるケースもある。この場合、Ａ４またはレターのような定形のページに収まるよう、高さ方向に分割して定形のページに割り付けたいという要求もある。
【０００７】
【発明が解決しようとする課題】
図８は、従来の文書データの生成方法および装置の問題点を説明する図である。図７にて示したように、従来の手法では、単一の画像を単一のページとするものであるために、単一の画像を複数ページとするためには、図８に示すように、文書データに変換する前に画像データを分割しなければならない。
【０００８】
この場合、画像データを分割するために処理時間がかかるという問題がある。特に、入力画像データが圧縮されたデータの場合、画像を伸張し、分割し、再圧縮する必要があるので、処理時間がさらに長くなる。また、この場合、画像の圧縮に非可逆圧縮が用いられていると、伸張と再圧縮により画質が劣化するという問題もある。
【０００９】
本発明は、上記事情に鑑みてなされたものであり、単一の画像データから複数ページの文書データを作成する場合において、従来の方法や装置よりも処理時間を短縮することのできる文書データ生成方法および装置を提供することを目的とする。
【００１０】
また、本発明は、非可逆圧縮を用いた単一の画像データから複数ページの文書データを作成する場合において、画質劣化を避けることができる文書データ生成方法および装置を提供することを目的とする。
【００１１】
【課題を解決するための手段】
すなわち、本発明に係る文書データ生成方法は、入力された画像データに基づいて、当該画像データの少なくとも一部をページ内容として有するページデータを複数含んで成る文書データを作成する文書データ作成方法であって、それぞれのページデータを、入力された画像データの所定領域を参照して複写することで生成することとした。
【００１２】
本発明に係る文書データ生成装置は、入力された画像データに基づいて、当該画像データの少なくとも一部をページ内容として有するページデータを複数含んで成る文書データを作成する文書データ作成装置であって、画像データを取得する画像データ取得部と、文書データのそれぞれのページデータに対して、画像データ取得部が取得した画像の参照領域を設定する画像参照領域設定部と、画像データ取得部が取得した画像データと、画像参照領域設定部が設定したそれぞれのページデータについての参照領域に関するページ情報とに基づいて、個々のページデータを生成するページデータ生成部とを備えた。
【００１３】
また従属項に記載された発明は、本発明に係る文書データ生成装置のさらなる有利な具体例を規定する。
【００１４】
【作用】
上記構成においては、それぞれのページデータを生成する際、入力された画像データに対して、各ページデータに対しての参照領域を設定する。そして、この設定した参照領域の画像データを複写して個々のページデータを生成する。これにより、個々のページデータに合うように入力画像を分割するような処理を不要化した。
【００１５】
【発明の実施の形態】
以下、図面を参照して本発明の実施の形態について詳細に説明する。
【００１６】
図１は、本発明に係る文書データ生成装置の一実施形態を備えた文書データ処理システムのブロック図である。図示するように、文書データ処理システム１は、文書データ生成装置１００と、文書データ生成装置１００にて使用する画像データを生成する画像データ生成装置２００と、文書データ生成装置１００にて生成された文書データにも基づいて印刷物を生成する印刷装置（プリンタ）３００とから構成されている。
【００１７】
画像データ生成装置２００としては、たとえば原稿画像を読み取って画像データを取得するスキャナを利用することができる。なお、画像データ生成装置２００は、スキャナに限定されるものではなく、ワープロソフトなどの文書データを生成し、あるいは画像編集ソフトなどビットマップ画像を生成するなどためのアプリケーションプログラムが組み込まれ、このアプリケーションプログラムを利用して画像を生成するものであってもよい。また、たとえばＨＴＭＬ（Ｈｙｐｅｒｔｅｘｔ　Ｍａｒｋｕｐ　Ｌａｎｇｕａｇｅ）　などのマーク付き言語ファイルなどを利用するＷｅｂサーバであってもかまわない。
【００１８】
文書データ生成装置１００は、文書や図形などの画像データを取得する画像データ取得部１１０と、画像データ取得部１１０が取得した画像データに基づいて複数ページに亘る文書データを生成する文書データ生成部１２０と、文書データ生成装置１００の各部の動作を制御する中央制御部１４０とを有する。また文書データ生成装置１００は、画像データ生成装置２００との間のインタフェース機能をなすインタフェース部１５０と、印刷装置３００との間のインタフェース機能をなすインタフェース部１６０とを有する。
【００１９】
画像データ取得部１１０は、インタフェース部１５０を介して外部の画像データ生成装置２００にて生成された画像データを取得する。あるいは、画像データを生成するためのアプリケーションプログラムが組み込まれ、このアプリケーションプログラムを利用して画像データを生成するものであってもよい。画像データ取得部１１０は、取得した画像データを文書データ生成部１２０に渡す。
【００２０】
文書データ生成部１２０には、たとえば、画像データ取得部１１０から入力された画像データに基づいて複数ページに亘る文書データを生成するためのアプリケーションプログラムが組み込まれる。
【００２１】
また中央制御部１４０には、文書データ生成装置１００の全体を制御するソフトウェアであるＯＳ（オペレーティングシステム）１４２や印刷装置３００を制御するためのソフトウェアであるプリンタドライバ１４４が組み込まれる。
【００２２】
これにより、文書データ生成装置１００は、プログラムに基づいてソフトウェア的に文書データを生成するようになる。すなわち、後述する各機能部を構成するためのプログラムを格納したＣＤ−ＲＯＭなどからプログラムを読み出して図示しないハードディスク装置などにそのプログラムをインストールさせておき、ハードディスク装置からプログラムを読み出して図示しないＣＰＵが後述する処理手順を実行することにより、各機能をソフトウェア的に実現する。
【００２３】
なお、プログラムは、コンピュータ読取り可能な記憶媒体に格納されて提供されてもよいし、有線あるいは無線による通信手段を介して配信されてもよい。また、これらのプログラムや当該プログラムを格納した記憶媒体は、既存のシステムやアプリケーションプログラムをバージョンアップするものとして提供されてもよい。あるいは、各機能部分をソフトウェア的に実現するパッチファイルなど、一部の機能に対応したオプションプログラムとして提供されてもよい。
【００２４】
なお、このように、コンピュータプログラムを利用して文書データ生成装置１００の機能部分をコンピュータにより実現することに限らず、後述する文書データ生成装置１００の各機能部分をハードウェアで構成してもよい。
【００２５】
図２は、文書データ生成装置１００における文書データ生成部１２０の文書データの生成機能に関わる部分の機能ブロック図である。図示するように、文書データ生成部１２０は、画像参照領域設定部１２２と文書作成部１２４とを備える。また文書作成部１２４は、ヘッダ情報生成部１２６と、画像データ複写部１２８と、ページデータ生成部１３０と、データ合成部１３２とを含む。
【００２６】
画像参照領域設定部１２２は、画像データ取得部１１０から入力画像のサイズに関する情報を受け取り、各ページが参照すべき画像の部分領域の情報をページ情報としてページデータ生成部１３０に通知する。参照領域の割り当て方は、入力画像の特質や個々のページ画像の出力サイズに応じて適宜設定することができる。
【００２７】
たとえば、画像参照領域設定部１２２は、文書データのそれぞれのページデータについて、画像データ複写部１２８が取得した画像データにおける、それぞれ異なる参照領域を設定するものであってもよい。つまり、画像参照領域設定部１２２は、同一の画像データを参照する複数ページが、入力画像のそれぞれ異なる部分を参照するように、各ページデータの参照領域を設定する。換言すれば、別々のページが共通の原画像の異なる領域をクリップする。
【００２８】
また、画像参照領域設定部１２２は、文書データのそれぞれのページデータのうち隣接するページデータについては、隣接するページデータの境界部が、画像データ複写部１２８が取得した入力画像における、共通の領域を参照するように参照領域を設定するものであってもよい。つまり、画像参照領域設定部１２２が設定するページごとの参照領域がすこしずつ重なり合うように、参照領域を設定する。換言すれば、同一の画像データを参照する複数ページは、画像が少しずつ重なるように入力画像を参照してもよい。
【００２９】
また画像参照領域設定部１２２は、参照領域を設定する際、矩形状の領域を参照領域として設定するものであることが好ましい。つまり、各ページデータが参照する画像の部分の形状が矩形状であることが好ましい。これは、文書データ生成装置１００にて生成した文書ファイルは、印刷装置３００にてＡ４やＢ５などの矩形状の定型サイズで印刷に供されるなど、一般的な文書は矩形状の定型サイズであることが多いからである。
【００３０】
また矩形状の参照領域を設定する際には、矩形状の一辺の長さが画像データ複写部１２８が取得した入力画像の一辺の長さと略等しくなるように参照領域を設定してもかまわない。この設定方法は、たとえばＦＡＸ画像のように、長尺画像を取り扱う際に都合がよい。
【００３１】
また画像参照領域設定部１２２は、各ページデータの何れからも参照されない画像部分を設けるように、各ページデータの参照領域を設定するものであってもよい。換言すれば、同一の画像データを参照する複数ページの何れからも参照されない部分画像データを設けるとよい。
【００３２】
この場合、ページデータの何れからも参照されない画像部分を、画像データ複写部１２８が取得した画像における中央部分および周辺分の少なくとも一方に設定することが望ましい。これは、たとえば書籍など厚めの原稿を読み取った画像から文書データを生成する際に、不要部分の画像が文書データに現れないようにする上で都合がよいからである。
【００３３】
また、生成する文書のページサイズを一定とする場合には、画像参照領域設定部１２２は、複数のページデータのそれぞれに対して全て一定のサイズの参照領域を設定するようにしてもよい。この場合、それぞれのページは同一ページサイズに収まるように画像の一部分を参照する。
【００３４】
また生成する文書のページサイズを一定とする場合には、画像参照領域設定部１２２は、複数のページデータのうちの１ページ分を除くページデータに対して一定のサイズの参照領域を設定するとともに、１ページ分のページデータに対しては、一定のサイズよりも小さな参照領域を設定してもよい。この場合、ページデータ生成部は、一定のサイズよりも小さな参照領域と一定のサイズに応じたサイズとの差分により生じる空白部分については無画像を割り当てることで、その１ページ分のページデータを生成する。
【００３５】
換言すれば、ページデータ生成部１３０が生成する文書のページサイズを一定とし、画像参照領域設定部１２２は、ページサイズに収まるように画像の参照領域を設定する。つまり、画像の参照において、複数ページを同一ページサイズとし、それぞれのページは同一ページサイズに収まるように画像の一部分を参照する。そして、参照しきれなかった不足部分を有するページについては、その不足部分に実質的に意味のない画素データからなる無画像を割り当てることで、１ページ分の文書を生成する。
【００３６】
また、画像参照領域設定部１２２は、画像データ取得部１２４が取得した画像の長手方向に分割して得られる画像領域を参照領域として設定するものでもよい。この長手方向は、たとえば画像の高さ方向と同じすればよい。ただし、これに限らず、長手方向が画像の幅方向であるものの場合には、その幅方向に分割して得られる画像領域を参照領域として設定してもかまわない。
【００３７】
こうすることで、画像の参照領域が、最後のページに対する参照領域を除いて画像の外接矩形を高さ方向や幅方向に同一サイズに分割したものとなる。この場合にも、入力画像を参照しきれなかった不足部分を有するページについては、その不足部分に実質的に意味のない画素データからなる無画像を割り当てることで、１ページ分の文書を生成する。
【００３８】
ページデータ生成部１３０は、画像データ複写部１２８が複写した画像データを受け取り、画像参照領域設定部１２２により決定されたページ情報（各ページに対する画像の部分領域の情報）を参照して各ページの文書データを生成する。ページデータ生成部１３０は、必要に応じて、画像を変倍処理（拡大処理または縮小処理）や回転処理を施してもかまわない。
【００３９】
データ合成部１３２は、ヘッダ情報生成部１２６により生成されたヘッダ情報と、ページデータ生成部１３０により生成された各ページの文書データとを合成して１つの文書データ（以下文書ファイルという）を生成する。この際、ページ情報を参照して文書全体の情報を文書ファイルに書き込む。
【００４０】
図３は、文書データ生成部１２０における文書データの生成方法を説明する図である。画像データ取得部１１０から文書データ生成部１２０に画像データが入力されると、先ずヘッダ情報生成部１２６は、その画像データに基づく文書ファイルのヘッダ情報を生成する（Ｓ１００）。そして、生成したヘッダ情報をデータ合成部１３２に送る。データ合成部１３２は、ヘッダ情報生成部１２６から取得したヘッダ情報に基づいて、文書ファイルに文書ヘッダを書き込む（Ｓ１０２）。
【００４１】
この文書ヘッダの書込処理と並行して、画像データ複写部１２８は、画像データ取得部１１０から入力された画像データを文書ファイルに複写（コピー、クリップ）する（Ｓ１１０）。
【００４２】
画像参照領域設定部１２２は、各ページが参照する画像位置と参照範囲、そしてその画像をページのどの領域に配置するかを決定する（Ｓ１２０）。参照範囲は、各々のページのページ情報部に書き込む。画像参照領域設定部１２２は、この決定したページ情報をページデータ生成部１３０に通知する（Ｓ１２２）。ページデータ生成部１３０は、画像参照領域設定部１２２にて決定されたページ情報を参照して各ページの文書データを生成する（Ｓ１２４）。
【００４３】
図３においては、ページデータ生成部１３０は、入力画像を３ページ分だけ参照している。たとえば、ページ１は画像の上部、ページ２は画像の中央部、ページ３は画像の下部を参照し、各ページの文書データを生成している。データ合成部１３２は、この参照範囲を、各々のページのページ情報に書き込む。
【００４４】
文書データを構成する全ページ分の文書データを示すページ情報の文書ファイルへの書き込みが終了したら、データ合成部１３２は、最後に文書全体の情報を生成し（Ｓ１３０）、生成した文書全体の情報を文書ファイルに書き込む（Ｓ１３２）。たとえばデータ合成部１３２は、文書全体の情報として、総ページ数や、各ページデータのファイル中での位置、各画像データのファイル中での位置がファイル先頭からのバイトオフセット値などを書き込む。
【００４５】
図４は、図３の文書データ作成処理における各ページの画像の参照領域の一例を示した図である。図中、括弧内の数字の組が画像中の座標値を表しており、前の数字が入力画像の横方向（ｘ軸方向）の座標値を表し、後の数字が入力画像の高さ方向（ｙ軸方向）の座標値を表している。
【００４６】
この図４における参照領域の設定手法においては、先ず、ページ情報生成部１３０は複数ページのそれぞれを矩形状の同一ページサイズとするものとし、画像参照領域設定部１２２は複数のページデータのそれぞれに対して一定のサイズの参照領域を設定する、つまり、画像の参照において、複数ページを同一ページサイズとし、それぞれのページは同一ページサイズに収まるように入力画像の一部分を参照する。
【００４７】
たとえば、図４（Ａ）に示した入力画像の例では、入力画像の左上が（０，０）で、右下が（２０００，３０００）となっている。画像参照領域設定部１２２は、この入力画像中の、文書データにおける各ページの参照領域を決定する。
【００４８】
たとえば図４（Ｂ）は、入力画像の参照領域を縦方向に分割した矩形とする場合における各ページの参照部分の一例を示している。図示した例では、ページ１は入力画像の左上を（０，０）とし、右下を（５００，１０００）とする部分を、ページ２は（０，１０００）から（５００，２０００）の部分を、ページ３は（０，２０００）から（５００，３０００）の部分を参照している。
【００４９】
一方、図４（Ｃ）は、入力画像の参照領域を幅方向に２分割した矩形とする場合における各ページの参照部分の一例を示しており、図示した例では、ページ１は画像左側の（０，０）から（１０００，１５００）の部分を、ページ２は画像右側の（１０００，０）から（２０００，１５００）の部分を参照している。
【００５０】
この図４（Ｃ）に示す参照方法は、たとえば、スキャナを用いて、本や雑誌などを左右に見開きで読み取った（スキャンした）入力画像に基づいて文書データを生成する際に好適な参照方法である。（１０００，０）から（１０００，１５００）を結ぶ線分を中心として見開き画像をレイアウトする形態だからである。
【００５１】
なお、図４（Ｃ）は、入力画像の参照領域を幅方向に２分割した例で示しているが、２分割であれば見開き画像を不都合なくレイアウトすることができるので、入力画像が縦方向（上下）に見開いた画像である場合には、たとえば図４（Ｄ）に示すように、入力画像の参照領域を縦方向に２分割して参照すればよい。
【００５２】
図４の各例に示したページデータの生成手法によれば、単一の画像データから複数ページの文書データを作成する前には、単に入力画像を文書ファイルに複写するだけであり、予め画像データを分割する必要がない。得られる文書ファイルは、原画像を分割して各々のページに貼り付ける従来の手法と同じであるが、画像データを分割する時間を節約することができる（分割処理を省略できる）ので、文書ファイル生成のための処理時間を従来の方法よりも短縮することができる。
【００５３】
また、画像データが圧縮されている場合であっても、単に入力画像を文書ファイルに複写（クリップ）し、参照領域を決定するだけよく、従来の方法のような画像の伸張や再圧縮を避けることができる。これにより、圧縮画像を取り扱うケースでは、従来の方法よりも、処理時間を一層短縮することができる。加えて、画像の伸張や再圧縮を避けることができるので、非可逆圧縮画像を取り扱うケースでも、画質劣化を避けることができる。また、画像の伸張、分割、圧縮処理が不要になるので、装置を簡単化できる。
【００５４】
図５は、図３の文書データ作成処理における各ページの画像の参照領域の他の例を示した図である。
【００５５】
ここで図５（Ａ）は、入力画像の参照領域を各ページごとに少しずつ重なり合うように構成した例を示している。たとえば、ページ１が（０，０）から（５００，１０００）の画像領域を、ページ２が（０，９９０）から（５００，２０００）の画像領域を、ページ３が（０，１９９０）から（５００，３０００）の画像領域を参照している。これにより、たとえば（０，９９０）から（５００，１０００）の画像領域がページ１とページ２の両ページに共通に参照され、また（０，１９９０）から（５００，２０００）の画像領域がページ２とページ３の両ページに共通に参照される。
【００５６】
この方法は、ページ間の連続を示すのに適しており、特に、入力画像が地図データである場合などに好適な参照方法である。
【００５７】
図５（Ｂ）は、入力画像中にどのページからも参照されない領域をとるように構成した一例を示している。たとえば、ページ１が画像の左側の（０，０）から（９９０，１５００）の領域を、ページ２が画像の右側の（１０１０，０）から（２０００，１５００）の領域を参照している。これにより、中央部の（９９０，０）から（１０１０，１５００）の画像領域は、どちらのページからも参照されていない。
【００５８】
この方法は、画像中に不要部分がある場合に適しており、たとえばスキャナを用いて本や雑誌を見開きでスキャンして作成した入力画像では中央部分は空白もしくは影による中黒が生じ易い部分であるため、この空白や中黒を文書データからカット（除去）するために利用する上で都合がよい。
【００５９】
図５（Ｃ）は、入力画像中にどのページからも参照されない領域をとるように構成した他の例を示しており、画像の周辺部が不要である場合に、周辺部をカットするようにしたものである。図示した例では、（０，０）から（１０００，１０００）のうちの、（１０，１０）から（５００，９９０）の画像領域はページ１に、（５００，１０）から（９９０，９９０）の画像領域はページ２に参照されるが、それらを除く外側の領域はどちらのページからも参照されていない。
【００６０】
この方法は、たとえばスキャナを用いて本や雑誌を見開きでスキャンして作成した入力画像では周辺部は影による黒枠が生じ易い部分であるため、この黒枠を文書データからカット（除去）するために利用する上で都合がよい。
【００６１】
なお、図５（Ｂ）と図５（Ｃ）のそれぞれに示した参照領域の設定手法を組み合わせることで、複数ページの何れからも参照されない部分を、画像の中央部と周辺部とに設けることができる。
【００６２】
図６は、図３の文書データ作成処理における各ページの画像の参照領域の他の例を示した図である。ここでは、各ページを定形サイズに収めるために、参照領域として入力画像の外接矩形を高さ方向に定型サイズで等間隔に分割した矩形を用いる例を示している。この例では、入力画像はＡ４用紙幅であるが、高さ（画像の長さ）がＡ４の２倍以上ある長尺画像となっている。
【００６３】
このため、３ページから単一の画像を参照するように構成し、ページ１は（０，０）から（２１０，２９４）の画像領域を、ページ２は（０，２９４）から（２１０，５８８）の画像領域を、それぞれ参照することで、ページ１とページ２が参照する画像領域はＡ４サイズに収まるように定めている。
【００６４】
一方、最後のページであるページ３は、残りの画像領域である（０，５８８）から（２１０，６５０）を参照する。ただし、このままでは、ページ３は定型サイズにならないので、ページ３が参照する画像データが不足する部分を空白とする。つまり、複数ページを同一ページサイズとし、それぞれのページは同一ページサイズに収まるように画像の一部分を参照するが、参照しきれなかった不足部分を有するページについては、その不足部分に実質的に意味のない画素データからなる無画像を割り当てることで、１ページ分の文書を生成する。
【００６５】
この方法は、たとえばファクシミリ通信で高さ方向に長尺の画像を受信した場合に有効である。ここで、ファクシミリの長尺の画像とは、幅がＡ４サイズやレターサイズなどの短辺程度の長さであるのに、高さがＡ４サイズまたはレターサイズの長辺より長い画像を言う。この例では、長尺の画像をＡ４サイズの３ページに収めることができる。
【００６６】
また、図示を省略するが、たとえばパノラマ画像のように、幅方向に長尺の画像に基づいて複数ページに亘る文書ファイルを生成する際に、複数ページを同一ページサイズとする場合には、幅方向における最後の１ページ分に参照領域の不足が生じる場合には、その不足部分に実質的に意味のない画素データからなる無画像を割り当てることで、１ページ分の文書を生成するようにしてもよい。
【００６７】
このように、長尺画像に基づいて複数ページに亘る文書ファイルを生成する場合においても、単一の長尺画像を文書ファイルに複写するだけでよく、予め画像データを分割する必要がなく、前述同様に画像データを分割する時間を節約することができる（分割処理を省略できる）ので、文書ファイル生成のための処理時間を従来の方法よりも短縮することができる。また、入力画像（原画像）であるＦＡＸ画像が非可逆圧縮画像である場合であっても、画質劣化を避けることができる。
【００６８】
以上、本発明を実施形態を用いて説明したが、本発明の技術的範囲は上記実施形態に記載の範囲には限定されない。発明の要旨を逸脱しない範囲で上記実施形態に多様な変更または改良を加えることができ、そのような変更または改良を加えた形態も本発明の技術的範囲に含まれる。
【００６９】
また、上記の実施形態は、クレーム（請求項）にかかる発明を限定するものではなく、また実施形態の中で説明されている特徴の組合せの全てが発明の解決手段に必須であるとは限らない。前述した実施形態には種々の段階の発明が含まれており、開示される複数の構成要件における適宜の組合せにより種々の発明を抽出できる。実施形態に示される全構成要件から幾つかの構成要件が削除されても、効果が得られる限りにおいて、この幾つかの構成要件が削除された構成が発明として抽出され得る。
【００７０】
たとえば、図４〜図６に示した具体的な事例では、主に読み取られた画像（ＦＡＸ画像も読み取られた画像の一例）に基づいて複数ページに亘る文書ファイルを生成する例を説明したが、これに限定されるものではなく、その他の手法により生成された画像を取り扱うものであってもかまわない。たとえば、一般的に画像ファイルといわれているビットマップデータもしくはその圧縮データで表されたものに限らず、たとえばＨＴＭＬファイルなどで示される画像を取り扱うこともできる。
【００７１】
【発明の効果】
以上のように、本発明によれば、入力画像の参照領域を決定し、この決定した参照領域に基づいて各ページの文書データを生成するようにしたので、単一の画像データから複数ページの文書データを作成する前に予め画像データを分割する必要がない。これにより、画像データを分割する時間を節約することができ、文書ファイル生成の処理時間を短縮することができる。
【００７２】
また、このような手法を採用しても、参照領域の割り当て方は入力画像の特質や個々のページ画像の出力サイズに応じて適宜設定することができるので、不都合はない。
【００７３】
また、画像データが圧縮されている場合であっても、画像の伸張や再圧縮を避けることができるので、処理時間が更に短縮できるとともに、非可逆圧縮画像を取り扱う場合には、画質劣化を避けることができる。
【図面の簡単な説明】
【図１】文書データ生成装置の一実施形態を備えた文書データ処理システムのブロック図である。
【図２】文書データ生成部の文書データの生成機能に関わる部分の機能ブロック図である。
【図３】文書データ生成部における文書データの生成方法を説明する図である。
【図４】図３の文書データ作成処理における各ページの画像の参照領域の一例を示した図である。
【図５】図３の文書データ作成処理における各ページの画像の参照領域の他の例を示した図である。
【図６】図３の文書データ作成処理における各ページの画像の参照領域の他の例を示した図である。
【図７】従来の文書データ生成装置における文書データの生成方法を説明する図である。
【図８】従来の文書データの生成方法および装置の問題点を説明する図である。
【符号の説明】
１…文書データ処理システム、１００…文書データ生成装置、１１０…画像データ取得部、１２０…文書データ生成部、１２２…画像参照領域設定部、１２４…文書作成部、１２６…ヘッダ情報生成部、１２８…画像データ複写部、１３０…ページデータ生成部、１３２…データ合成部、１４０…中央制御部、１４２…ＯＳ、１４４…プリンタドライバ、１５０，１６０…インタフェース部、２００…画像データ生成装置、３００…印刷装置
【図１】
2004048148.tif 000003
【図２】
2004048148.tif 000004
【図３】
2004048148.tif 000005
【図４】
2004048148.tif 000006
【図５】
2004048148.tif 000007
【図６】
2004048148.tif 000008
【図７】
2004048148.tif 000009
【図８】
2004048148.tif 000010